(57)【特許請求の範囲】
【請求項１】
先端に掛合軸部８を設け、側面板部５の上縁５ｂに吊線用切欠部６を設け、背面板部３に吊線支持金具取付ボルト用の切欠部９を設けた上向きに開口する下側絶縁凾体半部１と、先端に掛合鉤部１８を設け、側面板部１３の下縁１３ｂに吊線用切欠部１４を設けた下向きに開口する上側絶縁凾体半部１０とを、凾状に合わせて前記掛合軸部８と掛合鉤部１８を掛合させた吊線支持金具絶縁凾状カバー２０により、電柱のケーブル吊線支持金具Ｄを包覆することを特徴とするケーブル吊線支持金具絶縁装置。
【請求項２】
プラスチック絶縁筒体２３の１端に鍔板部２４を設けた鉄柱ボルト挿通用絶縁筒２２を鉄柱のケーブル吊線支持金具Ｄの取り付けボルトＢに挿通し、該ケーブル吊線支持金具Ｄを請求項１の吊線支持金具絶縁凾状カバー２０で包覆することを特徴とするケーブル吊線支持金具絶縁装置。
【請求項３】
下側絶縁凾体半部１の側面板部をＬ字形側面板部５に形成し、該Ｌ字形側面板部５の縦板部５ｃの外側面に細長係合突部７を設け、上側絶縁凾体半部１０の側面板部１３の下縁１３ｂの外側面に押さえ片１５を設けるとともに側面板部後端縁１３ａの外側面に設けた縦長押さえ板１６に細長係合孔１７を設け、下側絶縁凾体半部１と上側絶縁凾体半部１０を凾状に合わせ、下側絶縁凾体半部１のＬ字形側面板部５の横板部５ａの上縁５ｂの外側面を上側絶縁凾体半部１０の押さえ片１５で押さえ、下側絶縁凾体半部１のＬ字形側面板部５の縦板部５ｃの細長係合突部７に上側絶縁凾体半部１０の縦長押さえ板１６の細長係合孔１７を嵌合係合させて吊線支持金具絶縁凾状カバー２０を形成したことを特徴とする請求項１または２のケーブル吊線支持金具絶縁装置。
【発明の詳細な説明】
【０００１】
【産業上の利用分野】
本発明は、電柱に取りつけられている通信ケーブル吊架用吊線の支持金具を包覆絶縁する装置に関するものである。
【０００２】
【従来の技術】
電柱間に張架された架空通信ケーブルは、ケーブル吊線が電柱に取り付けられた吊線支持金具に支持され、このケーブル吊線に通信ケーブルが吊架されているが、この架空通信ケーブル線路の近傍に高圧の送配電線が架設されている地域では、その高圧送配電線から通信ケーブルに高電圧が誘導される場合がある。このような架空通信ケーブル線路において心線作業をするには、この通信ケーブルのケーブル吊線を支持している電柱に作業員が登って心線作業をすることになり、通信ケーブルの誘導高電圧電流が、ケーブル心線→作業員→ケーブル吊架用吊線支持金具を経て作業員に流れ感電事故を起こす危険がある。
【０００３】
【発明が解決しようとする課題】
電柱に登って架空通信ケーブルの心線作業をする作業員の前記感電事故を防ぐためには、電柱に取り付けられているケーブル吊架用吊線の支持金具に作業員が接触しないように絶縁する必要があるが、従来は吊線支持金具に装着して作業員との間を絶縁することができる適切な絶縁装置がなかった。また、前記の吊線支持金具が鉄柱に取り付けられている場合には、作業員が登って心線作業をする鉄柱に前記の誘導高電圧電流が吊線支持金具から流れるが、従来はその絶縁装置がなかった。
【０００４】
本発明は、前記の課題を解決し、電柱に取り付けられているケーブル吊架用吊線の支持金具に容易に包覆装着でき確実に絶縁することができるケーブル吊線支持金具絶縁装置を提供することを目的とするものである。
【０００５】
【課題を解決するための手段】
前記の目的を達成するために本発明のケーブル吊線支持金具絶縁装置は、
（１）先端に掛合軸部８を設け、側面板部５の上縁５ｂに吊線用切欠部６を設け背面板部３に吊線支持金具取付ボルト用の切欠部９を設けた上向きに開口する下側絶縁凾体半部１と、先端に掛合鉤部１８を設け、側面板部１３の下縁１３ｂに吊線用切欠部１４を設けた下向きに開口する上側絶縁凾体半部１０とを凾状に合わせ、前記掛合軸部８と掛合鉤部１８を掛合させて吊線支持金具絶縁凾状カバー２０を構成し、この吊線支持金具絶縁凾状カバー２０で電柱のケーブル吊線支持金具Ｄを包覆することを特徴とするものである。
【０００６】
（２）前記（１）のケーブル吊線支持金具絶縁装置において、鉄柱Ａのケーブル吊線支持金具Ｄの取り付けボルトＢに、プラスチック絶縁筒体２３の１端に鍔板部２４を設けた鉄柱ボルト挿通用絶縁筒２２を挿通し、このケーブル吊線支持金具Ｄを前記（１）の吊線支持金具絶縁凾状カバー２０で包覆したことを特徴とするものである。
【０００７】
（３）前記（１）または（２）の吊線支持金具絶縁凾状カバー２０における、下側絶縁凾体半部１の側面板部５を、Ｌ字形側面板部５に形成し、このＬ字形側面板部５の縦板部５ｃに細長係合突部７を設け、かつ、上側絶縁凾体半部１０の側面板部１３の下縁１３ｂの外側面に押さえ片１５を設けるとともに、側面板部１３の後端縁１３ａの外側面に縦長押さえ板１６を設け、この縦長押さえ板１６に細長係合孔１７を設け、下側絶縁凾体半部１と上側絶縁凾体半部１０を凾状に合わせて、下側絶縁凾体半部１のＬ字形側面板部５の横板部５ａの上縁５ｂの外側面を上側絶縁凾体半部１０の押さえ片１５で押さえ、下側絶縁凾体半部１のＬ字形側面板部５の縦板部５ｃの細長係合突部７に上側絶縁凾体半部１０の縦長押さえ板１６の細長係合孔１７を嵌合係合させて、吊線支持金具絶縁凾状カバー２０を構成したことを特徴とするものである。
【０００８】
【作用】
前記（１）の下側絶縁凾体半部１と上側絶縁凾体半部１０を凾状に合わせた吊線支持金具絶縁凾状カバー２０の内側に、電柱に取り付けられているケーブル吊線支持金具Ｄが包覆されることにより、ケーブル線路近傍の高圧送配電線による架空通信ケーブルの誘導電圧により架空通信ケーブルと電柱のケーブル吊線支持金具Ｄの間の電圧が高電圧になっていても、電柱上の作業員がケーブル吊線支持金具Ｄに電気的に接触する感電事故が防止される。下側絶縁凾体半部１の背面板部３の吊線支持金具取付ボルト用の切欠部９に、ケーブル吊線支持金具Ｄを電柱に取り付けている取付ボルトＢが通る。
【０００９】
上側絶縁凾体半部１０の先端の掛合鉤部１８と下側絶縁凾体半部１の先端の掛合軸部８との掛合により、この掛合部を支点として上側と下側の両絶縁凾体半部１０、１を上下に開閉させるように取り扱うことができるので、上側下側両絶縁凾体半部１０、１を結合するための別個のボルト等を必要とすることなく、電柱に取り付けられているケーブル吊線支持金具Ｄを包覆するように装着する作業が容易になる。
【００１０】
上側下側両絶縁凾体半部１０、１を凾状に合わせて各側面板部の吊線用切欠部６、１４により吊線支持金具絶縁凾状カバー２０の側面板部に形成される吊線通過孔２１は、吊線支持金具絶縁凾状カバー２０をケーブル吊線支持金具Ｄに包覆して装着したときケーブル吊線Ｅが通る孔となる。
【００１１】
前記（２）のように、ケーブル吊線支持金具Ｄを鉄柱Ａに取り付けるボルトＢに鉄柱ボルト挿通用絶縁筒２２を挿通することにより、ボルトＢと鉄柱Ａの間に絶縁筒２２が介在してケーブル吊線支持金具Ｄと鉄柱Ａとの間を絶縁するので、誘導高電圧電流が架空通信ケーブルから鉄柱Ａに流れるのを防ぎ、電柱上の作業員の感電事故を防止する。
【００１２】
前記（３）のように、下側絶縁凾体半部１の横板部上縁５ｂの外側面を上側絶縁凾体半部１０の押さえ片１５で押さえるとともに、下側絶縁凾体半部１のＬ字形側面板部５の縦板部５ｃの細長係合突部７に上側絶縁凾体半部１０の縦長押さえ板１６の細長係合孔１７を嵌合係合させることにより、凾状に合わせた下側絶縁凾体半部１と上側絶縁凾体半部１０とが確実に結合されるので、電柱のケーブル吊線支持金具Ｄに吊線支持金具絶縁凾状カバー２０を脱落するおそれなく装着することができる。
【００１３】
【実施例】
以下本発明の実施例を図面により説明する。本発明のケーブル吊線支持金具絶縁装置は、その１実施例を側面図で示した図１と下面図で示した図２のように、プラスチック等の絶縁物で成型した下側絶縁凾体半部１と上側絶縁凾体半部１０よりなる吊線支持金具絶縁凾状カバー２０を用い、また、プラスチック絶縁物で成型した鉄柱ボルト挿通用絶縁筒２２を用いる。
【００１４】
下側絶縁凾体半部１は、その側面図で示した図３と底面図で示した図４と正面図で示した図５のように、上向きに開口する凾体の底板部２と、この底板部２の後端からＬ字形に高く立ち上がる背面板部３と、底板部２の前端から低く上方に立ち上がる前面板部４を形成し、この背面板部３と底板部２と前面板部４の両側縁に一体にほぼＬ字形の側面板部５を形成する。
【００１５】
前記の底板部２は、その前半部を前端に向け上向き前半傾斜板部２ａに形成するとともに、後半部を後半水平板部２ｂに形成する。また前記の背面板部３は、その中央部上端縁から凹欠した吊線支持金具取付ボルト用の切欠部９（図５）を設ける。３ａは背面板部３の裏面に設けた縦長突板部である。前記のＬ字形側面板部５の横板部５ａの上縁５ｂの中間部に半円弧状に切欠した吊線用切欠部６を設け、このＬ字形側面板部５の縦板部５ｃの外側面には細長係合突部７、７（図３、図５）を設ける。
【００１６】
前記の下側絶縁凾体半部１の前面板部４の中央部には、先端に支持杆８ａを突設して掛合軸部８を設ける。この掛合軸部８は、後記の上側絶縁凾体半部１０の先端の掛合鉤部８を掛合させるものである。
【００１７】
上側絶縁凾体半部１０は、その側面図の図６と下面図の図７と正面図の図８のように、下向きに開口する凾体の頂板部１１を前方がやや下降する傾斜状に形成し、この頂板部１１の先端部から湾曲して垂下する前面板部１２を形成し、この頂板部１１と前面板部１２の両側縁に一体に側面板部１３を形成する。
【００１８】
前記の側面板部１３は、その後端縁１３ａを上端から下端に向け前方にやや傾斜させて形成し、その下縁１３ｂの中間に半円弧状に切欠した吊線用切欠部１４を設け、下縁１３ｂの前半部外側面に押さえ片１５を設け、傾斜後端縁１３ａの外側面に逆Ｌ字形に下部が屈曲する縦長押さえ板１６を設け、この縦長押さえ板１６に細長係合孔１７、１７を設ける。１１ａは頂板部１１の後端の延長部であり、１１ｂ（図７）はこの延長部１１ａの端縁に形成した切欠部である。１６ａ（図６）は前記のＪ形縦長押さえ板１６の下端の屈曲部である。
【００１９】
前記の上側絶縁凾体半部１０の前面板部１２の中央部には、下部がＪ形に屈曲する掛合鉤部１８を設け、そのＪ形の屈曲部内側に軸受け溝１８ａを形成する。１９はこの掛合鉤部１８の中間部の分割間隙である。
【００２０】
前記の下側絶縁凾体半部１と上側絶縁凾体半部１０を凾体状に合わせて、図１の側面図と図２の下面図に示したように吊線支持金具絶縁凾状カバー２０を構成して吊線支持金具Ｄを包覆する。下側絶縁凾体半部１の先端の掛合軸部８に上側絶縁凾体半部１０の先端の掛合鉤部１８の軸受け溝１８ａを嵌合して掛合させ、下側絶縁凾体半部１の上に上側絶縁凾体半部１０を被せて、下側絶縁凾体半部１のＬ字形側面板部５の横板部５ａの上縁５ｂに上側絶縁凾体半部１０の側面板部１３の下縁１３ｂを合わせる。
【００２１】
前記の上側絶縁凾体半部１０の側面板部１３の外側面の押さえ片１５を下側絶縁凾体半部１のＬ字形側面板部５の横板部５ａの外側面に当てて押さえ、上側絶縁凾体半部１０の側面板部１３の後端縁１３ａの縦長押さえ板１６を下側絶縁凾体半部１のＬ字形側面板部５の縦板部５ｂの外側面に当てて押さえるとともに、この上側絶縁凾体半部１０の縦長押さえ板１６の細長係合孔１７を下側絶縁凾体半部１のＬ字形側面板部５の縦板部５ｃの細長係合突部７に嵌合して係合させることにより、下側絶縁凾体半部１の上に上側絶縁凾体半部１０を凾体状に合わせた吊線支持金具絶縁凾状カバー２０を形成する。
【００２２】
前記のように上側、下側の両絶縁凾体半部１０、１を凾体状に結合することにより、上側絶縁凾体半部１０の側面板部１３の下縁１３ｂに設けた上側の吊線用切欠部１４と、下側絶縁凾体半部１のＬ字形側面板部５の横板部５ａの上縁５ｂに設けた下側の吊線用切欠部６とにより、絶縁凾状カバー２０の側面板部に開口するケーブル吊線Ｅが通る吊線通過孔２１が形成される。
【００２３】
前記の吊線支持金具絶縁凾状カバー２０は、鉄柱Ａに吊線支持金具取付ボルトＢで取り付けられている吊線支持金具Ｄを包覆するように装着する。Ｃは鉄柱Ａを貫通する取付ボルトＢのナット、Ｅは吊線支持金具Ｄで支持されたケーブル吊線であり、このケーブル吊線Ｅに通信ケーブルが吊下されて架設されている。この吊線支持金具Ｄの下側に吊線支持金具絶縁凾状カバー２０の下側絶縁凾体半部１を配置してその背面板部３を鉄柱Ａに当接し背面板部３の切欠部９を取付ボルトＢの下側から嵌合し、この吊線支持金具Ｄの上側に上側絶縁凾体半部１０を被せて、前記のように上側、下側の両縁凾体半部１０、１を凾体状に結合することにより、鉄柱Ａの前面に取り付けられている吊線支持金具Ｄを包覆して装着し、上側、下側の両縁凾体半部１０、１の側面板部ら形成される吊線通過孔２１に、吊線支持金具Ｄに支持されているケーブル吊線Ｅを通す。
【００２４】
このように吊線支持金具絶縁凾状カバー２０で鉄柱Ａの前面の吊線支持金具Ｄを包覆することにより、作業員が電柱に登って通信ケーブルの心線作業をする際に、架空通信ケーブルと吊線支持金具Ｄの間が高誘導電圧になっていても、これに作業員が電気的に接触する事故が防止される。
【００２５】
前記の吊線支持金具Ｄと鉄柱Ａの間を絶縁するために、取付ボルトＢと鉄柱Ａの間に鉄柱ボルト挿通用絶縁筒２２を介在装着する。この鉄柱ボルト挿通用絶縁筒２２は、図９に示したように、プラスチック絶縁筒体２３の１端に鍔板部２４を設け、中心にボルト挿通孔２５を設けたものである。
【００２６】
前記の鉄柱ボルト挿通用絶縁筒２２を、鉄柱Ａに取り付ける吊線支持金具Ｄの取付ボルトＢに嵌挿し鉄柱Ａのボルト孔Ｆと取付ボルトＢの間に介在させてボルト孔Ｆに嵌入させ、ナットＣを締め付けて固定する。これにより、鉄柱Ａのボルト孔Ｆの孔縁と取付ボルトＢとの間がプラスチック絶縁筒体２３の介在により絶縁され、鉄柱Ａの壁面とナットＣとの間が鍔板部２４の介在により絶縁される。
【００２７】
前記の吊線支持金具絶縁凾状カバー２０は、吊線支持金具Ｄを包覆して単独に使用するだけでなく、電柱に取り付けられている他の種々の電線・ケーブル架設用金具類を包覆する電柱装着絶縁カバー装置と併用することもできる。
【００２８】
【発明の効果】
前記のように本発明のケーブル吊線支持金具絶縁装置は、上側と下側の両絶縁凾体半部の先端の掛合鉤部と掛合軸部を掛合させ凾体状に合わせて吊線支持金具絶縁凾状カバーを構成し、この絶縁凾状カバー内に電柱のケーブル吊線支持金具を包覆するようにしたので、架空通信ケーブルとケーブル吊線支持金具の間が高電圧になっていても電柱上の作業員の感電事故を防止することができ、絶縁凾状カバーは先端の掛合部を支点として上側下側の両絶縁凾体半部を上下に開閉することができるので、電柱のケーブル吊線支持金具を包覆するように装着することが容易になる。
【００２９】
また、下側絶縁凾体半部の横板部上縁を上側絶縁凾体半部の押さえ片で押さえるとともに、下側絶縁凾体半部のＬ字形側面板部に設けた細長係合突部に上側絶縁凾体半部の縦長押さえ板に設けた細長係合孔を嵌合係合させて、上側下側両絶縁凾体半部を結合したので、電柱のケーブル吊線支持金具に装着した吊線支持金具絶縁凾状カバーが脱落するおそれがない。
【００３０】
また、鉄柱ボルト挿通用絶縁筒を、鉄柱に取り付けられているケーブル吊線支持金具の取り付けボルトに挿通し、このケーブル吊線支持金具を前記の吊線支持金具絶縁凾状カバーで包覆するようにしたので、架空通信ケーブルから鉄柱に誘導高電圧電流が流れるのを阻止して作業員の感電事故を防止することができる。
【図面の簡単な説明】
【図１】本発明の１実施例の側面図
【図２】本発明の１実施例の下面図
【図３】下側絶縁凾体半部の側面図
【図４】下側絶縁凾体半部の下面図
【図５】下側絶縁凾体半部の正面図
【図６】上側絶縁凾体半部の側面図
【図７】上側絶縁凾体半部の下面図
【図８】上側絶縁凾体半部の正面図
【図９】鉄柱ボルト挿通用絶縁筒の斜視図
【符号の説明】
１：下側絶縁凾体半部
３：背面板部
５：Ｌ字形側面板部
５ａ：Ｌ字形側面板部５の横板部
５ｂ：横板部５ａの上縁
５ｃ：Ｌ字形側面板部５の縦板部
６：吊線用切欠部
７：細長係合突部
８：掛合軸部
９：吊線支持金具取付ボルト用切欠部
１０：下側絶縁凾体半部
１３：側面板部
１３ａ：側面板部１３の後端縁
１３ｂ：側面板部１３の下縁
１４：吊線用切欠部
１５：押さえ片
１６：縦長押さえ板
１７：細長係合孔
１８：掛合鉤部
２０：吊線支持金具絶縁凾状カバー
２１：吊線通過孔
２２：鉄柱ボルト挿通用絶縁筒
２３：プラスチック絶縁筒体
２４：鍔板部
Ａ：電柱、鉄柱
Ｂ：取り付けボルト
Ｄ：ケーブル吊線支持金具
【図１】
0003728670.tif 000002
【図２】
0003728670.tif 000003
【図３】
0003728670.tif 000004
【図４】
0003728670.tif 000005
【図５】
0003728670.tif 000006
【図６】
0003728670.tif 000007
【図７】
0003728670.tif 000008
【図８】
0003728670.tif 000009
【図９】
0003728670.tif 000010